(57)【要約】【課題】撮影された画像の画像データを適切に分類することが可能な撮像装置を提供する。【解決手段】光学系１０による像を撮像し、撮像された像に対応する画像の画像データを生成する撮像部３１と、撮影者により加えられた圧力を検出する検出部９０と、所定条件下において、前記検出部９０に加えられた圧力に基づいて、第１圧力閾値を設定する設定部７０と、前記画像を撮影している際に前記検出部９０に加えられた圧力と、前記第１圧力閾値とを比較し、該比較結果に基づいて、撮影された画像の画像データを、複数のグループに分類する制御部７０と、を備えることを特徴とする撮像装置。【選択図】  図１
2012186713.tif 000002
【特許請求の範囲】
【請求項１】
光学系による像を撮像し、撮像された像に対応する画像の画像データを生成する撮像部と、
撮影者により加えられた圧力を検出する検出部と、
所定条件下において、前記検出部に加えられた圧力に基づいて、第１圧力閾値を設定する設定部と、
前記画像を撮影している際に前記検出部に加えられた圧力と、前記第１圧力閾値とを比較し、該比較結果に基づいて、撮影された画像の画像データを、複数のグループに分類する制御部と、を備えることを特徴とする撮像装置。
【請求項２】
請求項１に記載の撮像装置であって、
前記制御部は、前記検出部に加えられた圧力が、前記第１圧力閾値以下である場合には、該圧力が検出された際に撮影された画像の画像データを、第１グループに分類し、前記検出部に加えられた圧力が、前記第１圧力閾値よりも大きい場合には、該圧力が検出された際に撮影された画像の画像データを、第２グループに分類することを特徴とする撮像装置。
【請求項３】
請求項２に記載の撮像装置であって、
前記制御部は、前記検出部に加えられた圧力が、所定時間以上継続して、前記第１圧力閾値よりも大きい場合に、該圧力が検出された際に撮影された画像の画像データを、前記第２グループに分類することを特徴とする撮像装置。
【請求項４】
請求項１〜３のいずれかに記載の撮像装置であって、
撮影者を識別する識別部をさらに備え、
前記設定部は、前記識別部により識別された撮影者ごとに、前記第１圧力閾値を設定し、
前記制御部は、前記画像を撮影している際に前記検出部に加えられた圧力と、前記識別部により識別された撮影者に対応する前記第１圧力閾値とを比較し、該比較結果に基づいて、撮影された画像の画像データを、複数のグループに分類することを特徴とする撮像装置。
【請求項５】
請求項１〜４のいずれかに記載の撮像装置であって、
前記設定部は、所定条件下において、前記検出部に加えられた圧力に基づいて、前記第１圧力閾値よりも大きい第２圧力閾値を設定し、
前記制御部は、前記画像を撮影している際に前記検出部に加えられた圧力と、前記第１圧力閾値および前記第２圧力閾値とを比較し、該比較結果に基づいて、撮影された画像の画像データを、複数のグループに分類することを特徴とする撮像装置。
【請求項６】
請求項５に記載の撮像装置であって、
前記制御部は、前記検出部に加えられた圧力が、前記第１圧力閾値以下である場合には、該圧力が検出された際に撮影された画像の画像データを、第１グループに分類し、前記検出部に加えられた圧力が、前記第１圧力閾値よりも大きく、かつ、前記第２圧力閾値以下である場合には、該圧力が検出された際に撮影された画像の画像データを、第２グループに分類し、前記検出部に加えられた圧力が、前記第２圧力閾値よりも大きい場合には、該圧力が検出された際に撮影された画像の画像データを、第３グループに分類することを特徴とする撮像装置。
【請求項７】
請求項１〜６のいずれかに記載の撮像装置であって、
前記画像データに基づく画像を再生する画像再生部をさらに備え、
前記画像再生部は、前記複数のグループに分類された画像データに基づく画像を、分類にしたがって再生することを特徴とする撮像装置。
【請求項８】
請求項７に記載の撮像装置であって、
前記画像再生部は、前記複数のグループに優先順位を設定し、前記優先順位の高いグループに分類された画像データに基づく画像を優先して再生することを特徴とする撮像装置。
【請求項９】
請求項８に記載の撮像装置であって、
前記画像再生部は、前記複数のグループのうち、前記画像を撮影している際に前記検出部に加えられた圧力の高い画像データが分類されているグループほど、前記優先順位を高く設定することを特徴とする撮像装置。
【請求項１０】
請求項８に記載の撮像装置であって、
前記画像再生部は、前記複数のグループのうち、分類されている画像データの数が多いグループほど、前記優先順位を高く設定することを特徴とする撮像装置。
【請求項１１】
請求項１〜１０のいずれかに記載の撮像装置であって、
自装置と通信可能な外部装置から、該外部装置の使用者により、該外部装置に加えられた圧力を、外部装置圧力として、受信する受信部をさらに備え、
前記設定部は、所定条件下において、前記外部装置に加えられた外部装置圧力に基づいて、第３圧力閾値を設定し、
前記制御部は、前記画像を撮影している際に前記検出部に加えられた圧力と、前記第１圧力閾値とを比較するとともに、前記画像を撮影している際に前記外部装置に加えられた外部装置圧力と、前記第３圧力閾値とを比較し、該比較結果に基づいて、撮影された前記画像の画像データを、複数のグループに分類することを特徴とする撮像装置。
【請求項１２】
請求項１１に記載の撮像装置であって、
前記設定部は、所定条件下において、前記検出部に加えられた圧力に基づいて、前記第１圧力閾値よりも大きい第２圧力閾値を設定するとともに、所定条件下において、前記外部装置に加えられた外部装置圧力に基づいて、前記第３圧力閾値よりも大きい第４圧力閾値を設定し、
前記制御部は、前記画像を撮影している際に前記検出部に加えられた圧力と、前記第１圧力閾値および前記第２圧力閾値とを比較するとともに、前記画像を撮影している際に前記外部装置に加えられた外部装置圧力と、前記第３圧力閾値および前記第４圧力閾値とを比較し、該比較結果に基づいて、撮影された前記画像の画像データを、複数のグループに分類することを特徴とする撮像装置。
【発明の詳細な説明】
【技術分野】
【０００１】
本発明は、撮像装置に関する。
【背景技術】
【０００２】
従来より、撮影者の心拍数などの生理状態を検出し、検出した撮影者の生理状態に基づいて、撮影された画像の画像データを分類する撮像装置が知られている（たとえば、特許文献１）。
【先行技術文献】
【特許文献】
【０００３】
【特許文献１】特開２００９−８１７８４号公報
【発明の概要】
【発明が解決しようとする課題】
【０００４】
しかしながら、従来技術は、撮影者の生理状態に基づいて、撮影された画像の画像データを分類するものであるため、撮影者の体調や体質、あるいは、撮影環境などによっては、検出された撮影者の生理状態が、撮影者の実際の生理状態から乖離していまい、撮影された画像の画像データを、適切に分類することができない場合があった。
【０００５】
本発明が解決しようとする課題は、撮影された画像の画像データを適切に分類することが可能な撮像装置を提供することである。
【課題を解決するための手段】
【０００６】
本発明は、以下の解決手段によって上記課題を解決する。なお、以下においては、本発明の実施形態を示す図面に対応する符号を付して説明するが、この符号は発明の理解を容易にするためだけのものであって発明を限定する趣旨ではない。
【０００７】
［１］本発明に係る撮像装置は、光学系（１０）による像を撮像し、撮像された像に対応する画像の画像データを生成する撮像部（３１）と、撮影者により加えられた圧力を検出する検出部（９０）と、所定条件下において、前記検出部に加えられた圧力に基づいて、第１圧力閾値を設定する設定部（７０）と、前記画像を撮影している際に前記検出部に加えられた圧力と、前記第１圧力閾値とを比較し、該比較結果に基づいて、撮影された画像の画像データを、複数のグループに分類する制御部（７０）と、を備えることを特徴とする。
【０００８】
［２］上記撮像装置に係る発明において、前記制御部（７０）は、前記検出部（９０）に加えられた圧力が、前記第１圧力閾値以下である場合には、該圧力が検出された際に撮影された画像の画像データを、第１グループに分類し、前記検出部に加えられた圧力が、前記第１圧力閾値よりも大きい場合には、該圧力が検出された際に撮影された画像の画像データを、第２グループに分類するように構成することができる。
【０００９】
［３］上記撮像装置に係る発明において、前記制御部（７０）は、前記検出部（９０）に加えられた圧力が、所定時間以上継続して、前記第１圧力閾値よりも大きい場合に、該圧力が検出された際に撮影された画像の画像データを、前記第２グループに分類するように構成することができる。
【００１０】
［４］上記撮像装置に係る発明において、撮影者を識別する識別部（７０）をさらに備え、前記設定部（７０）は、前記識別部により識別された撮影者ごとに、前記第１圧力閾値を設定し、前記制御部（７０）は、前記画像を撮影している際に前記検出部（９０）に加えられた圧力と、前記識別部により識別された撮影者に対応する前記第１圧力閾値とを比較し、該比較結果に基づいて、撮影された画像の画像データを、複数のグループに分類するように構成することができる。
【００１１】
［５］上記撮像装置に係る発明において、前記設定部（７０）は、所定条件下において、前記検出部（９０）に加えられた圧力に基づいて、前記第１圧力閾値よりも大きい第２圧力閾値を設定し、前記制御部（７０）は、前記画像を撮影している際に前記検出部に加えられた圧力と、前記第１圧力閾値および前記第２圧力閾値とを比較し、該比較結果に基づいて、撮影された画像の画像データを、複数のグループに分類するように構成することができる。
【００１２】
［６］上記撮像装置に係る発明において、前記制御部（７０）は、前記検出部（９０）に加えられた圧力が、前記第１圧力閾値以下である場合には、該圧力が検出された際に撮影された画像の画像データを、第１グループに分類し、前記検出部に加えられた圧力が、前記第１圧力閾値よりも大きく、かつ、前記第２圧力閾値以下である場合には、該圧力が検出された際に撮影された画像の画像データを、第２グループに分類し、前記検出部に加えられた圧力が、前記第２圧力閾値よりも大きい場合には、該圧力が検出された際に撮影された画像の画像データを、第３グループに分類するように構成することができる。
【００１３】
［７］上記撮像装置に係る発明において、前記画像データに基づく画像を再生する画像再生部（７０）をさらに備え、前記画像再生部は、前記複数のグループに分類された画像データに基づく画像を、分類にしたがって再生するように構成することができる。
【００１４】
［８］上記撮像装置に係る発明において、前記画像再生部（７０）は、前記複数のグループに優先順位を設定し、前記優先順位の高いグループに分類された画像データに基づく画像を優先して再生するように構成することができる。
【００１５】
［９］上記撮像装置に係る発明において、前記画像再生部（７０）は、前記複数のグループのうち、前記画像を撮影している際に前記検出部（９０）に加えられた圧力の高い画像データが分類されているグループほど、前記優先順位を高く設定するように構成することができる。
【００１６】
［１０］上記撮像装置に係る発明において、前記画像再生部（７０）は、前記複数のグループのうち、分類されている画像データの数が多いグループほど、前記優先順位を高く設定するように構成することができる。
【００１７】
［１１］上記撮像装置に係る発明において、自装置と通信可能な外部装置（２）から、該外部装置の使用者により、該外部装置に加えられた圧力を、外部装置圧力として、受信する受信部（１５０）をさらに備え、前記設定部（７０）は、所定条件下において、前記外部装置に加えられた外部装置圧力に基づいて、第３圧力閾値を設定し、前記制御部（７０）は、前記画像を撮影している際に前記検出部（９０）に加えられた圧力と、前記第１圧力閾値とを比較するとともに、前記画像を撮影している際に前記外部装置に加えられた外部装置圧力と、前記第３圧力閾値とを比較し、該比較結果に基づいて、撮影された前記画像の画像データを、複数のグループに分類するように構成することができる。
【００１８】
［１２］上記撮像装置に係る発明において、前記設定部（７０）は、所定条件下において、前記検出部（９０）に加えられた圧力に基づいて、前記第１圧力閾値よりも大きい第２圧力閾値を設定するとともに、所定条件下において、前記外部装置（２）に加えられた外部装置圧力に基づいて、前記第３圧力閾値よりも大きい第４圧力閾値を設定し、前記制御部（７０）は、前記画像を撮影している際に前記検出部に加えられた圧力と、前記第１圧力閾値および前記第２圧力閾値とを比較するとともに、前記画像を撮影している際に前記外部装置に加えられた外部装置圧力と、前記第３圧力閾値および前記第４圧力閾値とを比較し、該比較結果に基づいて、撮影された前記画像の画像データを、複数のグループに分類するように構成することができる。
【発明の効果】
【００１９】
本発明によれば、撮影された画像の画像データを適切に分類することができる。
【図面の簡単な説明】
【００２０】
【図１】図１は、本実施形態に係るカメラの外観図である。
【図２】図２は、本実施形態に係るカメラを示すブロック図である。
【図３】図３は、第１実施形態に係るカメラの動作を示すフローチャートである。
【図４】図４は、第１実施形態に係る基準圧力値の登録方法の一例を説明するための図である。
【図５】図５は、第２実施形態に係るカメラの動作を示すフローチャートである。
【図６】図６は、第２実施形態に係る第１基準圧力値および第２基準圧力値の登録方法の一例を説明するための図である。
【図７】図７は、撮影シーンと、画像を撮影している際に検出された圧力値との関係の一例を示す図である。
【図８】図８は、第３実施形態に係るカメラシステムの外観図である。
【図９】図９は、第３実施形態に係るカメラシステムのブロック図である。
【図１０】図１０は、第３実施形態に係るカメラの動作を示すフローチャートである。
【図１１】図１１は、第４実施形態に係るカメラの動作を示すフローチャート（その１）である。
【図１２】図１２は、第４実施形態に係るカメラの動作を示すフローチャート（その２）である。
【発明を実施するための形態】
【００２１】
以下、本発明の実施形態を図面に基づいて説明する。
【００２２】
≪第１実施形態≫
【００２３】
図１は、本実施形態に係るデジタルカメラの外観図である。本実施形態のデジタルカメラ１（以下、単にカメラ１という。）は、図１（Ａ）に示すように、前面に、レンズ鏡筒内に設けられた撮影レンズ１１と、内蔵マイク１３０とを備えている。また、カメラ１の上面には、たとえば、電源ボタン、レリーズボタン、および動画撮影ボタンとして機能することができるスタートボタン１２０が設けられている。さらに、カメラ１の背面には、図１（Ｂ）に示すように、感圧センサ９０、操作部１００、表示部１１０、スピーカ１４０、および外部通信インターフェース（以下、外部通信Ｉ／Ｆという）１５０が備えられている。感圧センサ９０は、撮影者が画像を撮影する際に、撮影者によりカメラ１に加えられた圧力（たとえば、撮影者の指圧力や撮影者の握力）を検出するためのものであり、たとえば、図１（Ｂ）に示すように、画像を撮影するために、撮影者によりカメラ１が把持された場合に、撮影者により圧力が加えられる位置に設置することができる。さらに、カメラ１の上面には、図１（Ｃ）に示すように、指紋センサ８０が備えられている。指紋センサ８０は、撮影者の指紋を検出するためのセンサであり、たとえば、図１（Ｃ）に示すように、撮影者がスタートボタン１２０を押下する際に、撮影者の指の指紋を検出することができる位置に設置することができる。
【００２４】
図２は、本実施形態に係るカメラ１を示すブロック図である。本実施形態のカメラ１は、レンズ系１０、絞り２１、絞り駆動制御部２２、撮像素子３１、外部通信インターフェース（Ｉ／Ｆ）４０、レンズ駆動制御部５１、メモリ６０、カメラ制御部７０、指紋センサ８０、感圧センサ９０、操作部１００、表示部１１０、スタートボタン１２０、内蔵マイク１３０、およびスピーカ１４０を備えている。
【００２５】
レンズ系１０は、複数のレンズ１１，１２，１３からなり、絞り２１とともに撮影光学系を構成する。
【００２６】
レンズ系１０のうち、フォーカスレンズ１２、およびズームレンズ１３は、光軸Ｌ１に沿って移動可能に設けられており、フォーカスレンズ駆動部５２によるフォーカシング動作、およびズームレンズ駆動部５３によるズーミング動作により、その位置がそれぞれ調整される。なお、フォーカスレンズ駆動部５２およびズームレンズ駆動部５３は、レンズ制御部５１を介して、カメラ制御部７０と接続されており、カメラ制御部７０の指令により、フォーカスレンズ１２、およびズームレンズ１３の位置調整をそれぞれ制御している。
【００２７】
絞り２１は、撮影光学系を通過して、撮像素子３１に至る光束Ｌ１の光量を制限するとともにボケ量を調整するために、光軸Ｌ１を中心にした開口径が調節可能に構成されている。たとえば自動露出モードにおいては、カメラ制御部７０により、撮像素子３１に至る光束に基づいて目標とする開口径の演算が行われ、演算された開口径に相当する絞り駆動信号が、カメラ制御部７０から絞り駆動制御部２２を介して絞り駆動部２３へ送信されることにより、絞り２１による開口径の調節が行われる。また、開口径の調節は、カメラ１に設けられた操作部１００をマニュアル操作することによっても行われ、操作部１００で設定された開口径がカメラ制御部７０から絞り駆動制御部２２を介して絞り駆動部２３に入力される。なお、絞り２１の開口径は絞り開口センサ（不図示）により検出され、カメラ制御部７０により現在の開口径が認識される。
【００２８】
撮像素子３１は、カメラ１の被写体からの光軸Ｌ１上であって、レンズ系１０の予定焦点面となる位置に配置されている。撮像素子３１は、複数の光電変換素子が二次元に配列されたものであって、二次元ＣＣＤイメージセンサ、ＭＯＳセンサまたはＣＩＤ（電荷注入デバイス）などで構成することができる。
【００２９】
撮像素子３１の撮像面に被写体像が投影されると、その入射光量に応じた量の信号電荷に光電変換され、撮像出力信号として順次読み出される。この光電変換されたアナログ画像信号は、図示しないＡ／Ｄ変換部で、アナログ画像信号からデジタル画像信号に変換され、カメラ制御部７０に出力される。
【００３０】
外部通信Ｉ／Ｆ４０は、カメラ１のカメラ制御部７０と、カメラ１の外部に設置されたマイクなどの外部装置との間でデータの送受信を行う。なお、外部通信Ｉ／Ｆ４０と外部装置との通信方法は、特に限定されず、公知の通信規格により外部装置と通信することができる。また、外部通信Ｉ／Ｆ４０と外部装置との通信は、有線通信であっても、無線通信であってもよい。
【００３１】
指紋センサ８０は、撮影者の指の指紋を検出する。指紋センサ８０により検出された指紋の特徴を表す指紋情報は、カメラ制御部７０に送信され、指紋照合に用いられる。なお、指紋照合の方法は、特に限定されず、たとえば、撮影者の指紋の画像を指紋情報として登録しておき、検出された指紋の画像を、登録された指紋画像と照合し、一致／不一致を判定する方法などの公知の方法を用いることができる。
【００３２】
感圧センサ９０は、撮影者により、カメラ１に加えられた圧力に基づく圧力値を検出し、検出した圧力値を、カメラ制御部７０に出力する。なお、感圧センサ９０により圧力値を検出する頻度は、任意に設定することができ、たとえば、動画像を撮影している際には、１フレームごとに、圧力値を検出するように設定することができる。
【００３３】
操作部１００は、撮影者がカメラ１の各種動作モードを設定するための入力スイッチなどを備えており、撮影者は、操作部１００を介して、動画撮影モード／静止画撮影モードの切換などができるようになっている。この操作部１００による操作、および設定された各種モードは、カメラ制御部７０へと送信される。
【００３４】
カメラ制御部７０は、マイクロプロセッサとメモリなどの周辺部品とから構成され、カメラ１を構成する各部の制御するための演算を行う。そして、カメラ制御部７０は、該演算結果に基づき、絞り２１による開口径を調節したり、光学系１０の焦点調節状態を検出したりすることで、カメラ１全体の制御を司る。また、カメラ制御部７０は、撮像素子３１から画像信号を読み出し、読み出した画像信号に対して、画素補間処理や色変換処理などの所定の画像処理を施すことにより、画像データを生成し、生成した画像データを、メモリ６０および表示部１１０に出力して、メモリ６０に保存させるとともに、表示部１１０に、画像データに基づく画像の表示を行なわせる。なお、メモリ６０は着脱可能なカード型メモリや内蔵型メモリの何れをも用いることができる。
【００３５】
さらに、本実施形態おいて、カメラ制御部７０は、感圧センサ９０から送信された圧力値に基づいて、撮影された画像の画像データを分類する処理を行う。なお、画像データを分類する方法については、後述する。
【００３６】
表示部１１０は、液晶ディスプレイなどのディスプレイを備えており、撮像素子３１により撮像した画像を逐次表示する電子ファインダとして機能する。また、本実施形態において、表示部１１０は、動画像の撮影が終了した後に、撮影された動画像を表示することで、撮影者に、撮影した動画像を確認させることができる。
【００３７】
次に、本実施形態に係るカメラ１の動作例を説明する。図２は、本実施形態に係るカメラ１の動作を示すフローチャートである。なお、以下においては、動画撮影モードが選択されている場面における、動作について説明する。また、以下に説明するカメラ１の動作は、カメラ１の電源がオンされることで開始される。
【００３８】
まず、ステップＳ１０１では、カメラ制御部７０により、撮影者を識別するための処理が行われる。具体的には、まず、指紋センサ８０により、撮影者の指紋が検出され、検出された撮影者の指紋の指紋情報が、カメラ制御部７０に出力される。そして、カメラ制御部７０により、撮影者の指紋情報が取得され、取得された撮影者の指紋情報と、カメラ制御部７０のメモリに記憶された撮影者ごとの指紋情報とを照合することで、撮影者の識別を行う。
【００３９】
ステップＳ１０２では、カメラ制御部７０により、撮影者が、新規撮影者であるか否かの判断が行われる。本実施形態において、カメラ制御部７０は、たとえば、ステップＳ１０１で撮影者を識別することができなかった場合に、撮影者は新規撮影者であると判断し、ステップＳ１０３に進む。一方、カメラ制御部７０は、たとえば、ステップＳ１０１で撮影者を識別することができた場合に、撮影者は新規撮影者ではないと判断し、ステップＳ１０５に進む。
【００４０】
ステップＳ１０３，Ｓ１０４では、撮影者が新規撮影者であると判断されているため、基準圧力値Ｘを登録するための処理が行われる。ここで、基準圧力値Ｘは、撮影者の意思を判断するための判断基準となる圧力値であり、撮影者ごとに設定される値である。本実施形態では、以下に説明するように、基準圧力値Ｘの登録が行われる。
【００４１】
すなわち、まず、ステップＳ１０３において、指紋センサ８０により、撮影者の指紋が検出され、検出された撮影者の指紋に基づく指紋情報が、カメラ制御部７０に出力される。続いて、ステップＳ１０４において、感圧センサ９０により、撮影者によりカメラ１に加えられた圧力に基づく圧力値が検出され、検出された圧力値が、カメラ制御部７０に出力される。これにより、カメラ制御部７０により、感圧センサ９０から出力された圧力値Ｖが取得され、取得された圧力値Ｖが、基準圧力値Ｘとして設定されるとともに、設定された基準圧力値Ｘが、指紋センサ８０から取得した撮影者の指紋情報と関連付けられて、たとえば、カメラ制御部７０に備えられたメモリに記憶される。
【００４２】
ここで、図４は、基準圧力値Ｘの登録方法の一例を説明するための図である。たとえば、ステップＳ１０２で撮影者が新規撮影者であると判断されると、まず、カメラ制御部７０により、表示部１１０に備えられたディスプレイに、「撮影をする姿勢をしてください。」との表示が行われる。そして、撮影者が、表示に従って、撮影をする姿勢でカメラ１を把持すると、表示部１１０に備えられたディスプレイに「測定中」との表示が行われ、指紋センサ８０による撮影者の指紋の検出（ステップＳ１０３）と、感圧センサ９０による圧力値の検出（ステップＳ１０４）が行われる。これにより、検出された圧力値Ｖが、基準圧力値Ｘに設定され、撮影者の指紋情報とともに、カメラ制御部７０に備えられたメモリに記憶される。そして、基準圧力値Ｘの設定が終了すると、表示部１１０に備えられたディスプレイに、「撮影者の情報を設定しました。」との表示が行われる。
【００４３】
ステップＳ１０５では、カメラ制御部７０により、撮影者に対応する基準圧力値Ｘの取得が行われる。本実施形態では、基準圧力値Ｘが、撮影者ごとに、該撮影者の指紋情報に関連付けられて記憶されているため、カメラ制御部７０は、たとえば、ステップＳ１０１で検出した撮影者の指紋情報に基づいて、撮影者に対応する基準圧力値Ｘを取得することができる。
【００４４】
そして、ステップＳ１０６では、カメラ制御部７０により、動画像の撮影が開始されたか否かの判断が行われる。たとえば、カメラ制御部７０は、動画撮影ボタンとして機能するスタートボタン１２０が、撮影者により押下された場合に、動画像の撮影が開始されたと判断することができる。動画像の撮影が開始されたと判断された場合は、ステップＳ１０７に進み、一方、動画像の撮影が開始されていないと判断された場合は、動画像の撮影が開始されるまで、ステップＳ１０６で待機する。
【００４５】
ステップＳ１０７では、感圧センサ９０により、動画像を撮影している際に、撮影者によりカメラ１に加えられた圧力に基づく圧力値Ｖの検出が行われる。そして、感圧センサ９０により検出された圧力値Ｖは、カメラ制御部７０へと送信され、カメラ制御部７０により取得される。
【００４６】
ステップＳ１０８では、カメラ制御部７０により、動画像の撮影が行われ、撮影された動画像の画像データが、メモリ９０に保存される。具体的には、カメラ制御部７０は、撮像素子３１から、画像信号を読み出し、読み出した画素信号に、所定の画像処理が施して、画像信号に基づく画像データを生成する。そして、カメラ制御部７０は、生成した画像データを、ステップＳ１０７で取得した圧力値Ｖと関連付けて、メモリ６０に記憶する。なお、本実施形態において、メモリ６０は、画像データを保存するためのフォルダとして、一時保存用画像フォルダ、第１画像フォルダ、および第２画像フォルダを備えており、ステップＳ１０８で撮影された画像の画像データは、これらフォルダのうち、一時保存用画像フォルダに一時的に保存される。
【００４７】
次いで、ステップＳ１０９〜Ｓ１１１では、カメラ制御部７０により、ステップＳ１０５で取得された基準圧力値Ｘと、ステップＳ１０７で取得された圧力値Ｖとの比較が行われ、該比較結果に基づいて、圧力値Ｖが検出された際に撮影された画像の画像データの分類が行われる。
【００４８】
具体的には、まず、カメラ制御部７０により、画像を撮影している際に検出された圧力に基づく圧力値Ｖと、基準圧力値Ｘとの比較が行われ（ステップＳ１０９）、比較の結果、圧力値Ｖが基準圧力値Ｘよりも大きい場合には（ステップＳ１０９＝Ｙｅｓ）、ステップＳ１１０に進み、カメラ制御部７０により、該圧力値Ｖが検出された際に撮影された画像の画像データが、高圧力画像データとして分類され、メモリ６０の第１画像フォルダおよび第２画像フォルダに保存される（ステップＳ１１０）。一方、画像を撮影している際に検出された圧力値Ｖと、基準圧力値Ｘとの比較の結果、圧力値Ｖが基準圧力値Ｘ以下（ステップＳ１０９＝Ｎｏ）である場合には、ステップＳ１１１に進み、カメラ制御部７０により、該圧力値Ｖが検出された際に撮影された画像の画像データが、通常圧力画像データとして分類され、メモリ６０の第１画像フォルダにのみ保存される（ステップＳ１１１）。
【００４９】
これにより、本実施形態では、メモリ６０の第１画像フォルダに、撮影された全ての画像の画像データが保存されることとなる一方、メモリ６０の第２画像フォルダに、高圧力画像データ、すなわち、圧力値Ｖが基準圧力値Ｘよりも大きい場合（Ｖ＞Ｘ）に撮影された画像の画像データのみが保存されることとなる。なお、ステップＳ１０９では、メモリ６０の一時保存用画像フォルダに記憶されている画像データが、第１画像フォルダ、および／または、第２画像フォルダに保存され、その後、これらの画像データは、一時保存用画像フォルダから消去される。
【００５０】
次いで、ステップＳ１１２では、カメラ制御部７０により、動画撮影が終了されたか否かの判断が行われる。たとえば、カメラ制御部７０は、動画像を撮影している間に、撮影者により動画撮影ボタンとして機能するスタートボタン１２０が押下された場合に、動画撮影は終了したものと判断することができる。ステップＳ１１２において、動画撮影が終了されたと判断された場合は、ステップＳ１１３に進み、一方、動画像の撮影が継続されていると判断された場合は、ステップＳ１０８に戻り、動画像の撮影が終了するまで、上述したステップＳ１０８〜Ｓ１１１の処理が、たとえば、所定のフレームレートで繰り返し行われる。
【００５１】
ステップＳ１１３では、カメラ制御部７０により、撮影された動画像の再生が行われる。ここで、第１実施形態においては、高圧力画像データとして分類された画像データ、すなわち、圧力値Ｖが基準圧力値Ｘよりも大きい（Ｖ＞Ｘ）場合に撮影された画像のみが再生される。具体的には、カメラ制御部７０は、メモリ６０の第２画像フォルダから、高圧力画像データを読み出し、読み出した高圧力画像データを、表示部１１０に送出することで、表示部１１０に備えるディプレイに、高圧力画像データに基づく画像のみを表示させる。
【００５２】
以上のように、第１実施形態では、画像を撮影している際に撮影者によりカメラ１に加えられた圧力に基づく圧力値Ｖを検出し、検出された圧力値Ｖと基準圧力値Ｘとを比較する。比較の結果、画像を撮影している際に検出された圧力値Ｖが基準圧力値Ｘよりも大きい場合（Ｖ＞Ｘ）には、該圧力値Ｖが検出された際に撮影された画像の画像データを、高圧力画像データとして分類し、動画像を撮影している際に検出された圧力値Ｖが基準圧力値Ｘ以下である場合（Ｖ≦Ｘ）には、該圧力値Ｖが検出された際に撮影された画像の画像データを、通常圧力画像データとして分類する。一般に、感動的なシーンや、決定的なシーンなど、撮影者にとって重要なシーンを撮影する場合には、撮り逃しがないようにするため、あるいは、ブレや画角の変更を抑えるために、撮影者は、カメラ１を通常よりも強く把持する傾向がある。また、撮影者にとって重要なシーンを撮影する場合には、撮影者は興奮状態となり、自然に手に力が入ることで、カメラ１を通常よりも強く把持する傾向がある。そのため、本実施形態では、画像を撮影している際に撮影者によりカメラ１に加えられた圧力に基づく圧力値Ｖに基づいて、撮影された画像の画像データを分類することで、たとえば、撮影者にとって重要なシーンを撮影した画像と、撮影者にとって重要ではないシーンを撮影した画像とを、撮影者の意思を反映して、適切に分類することができる。
【００５３】
さらに、本実施形態では、動画像の撮影終了後に動画像の再生を行う際に、高圧力画像データとして分類された画像データに基づく画像のみを再生することで、撮影者にとって重要なシーンのみを抽出した動画像を、撮影終了後、撮影者に迅速に確認させることができる。
【００５４】
≪第２実施形態≫
次に、本発明の第２実施形態を図面に基づいて説明する。第２実施形態では、図１および図２に示すカメラ１において、図５に示すように、カメラ１が動作すること以外は、第１実施形態と同様である。以下においては、図５を参照して、第２実施形態に係るカメラ１の動作について説明する。なお、図５は第２実施形態に係るカメラ１の動作を示すフローチャートである。
【００５５】
まず、ステップＳ２０１，Ｓ２０２では、第１実施形態のステップＳ１０１，Ｓ１０２と同様に、撮影者を識別するための処理が行われ（ステップＳ２０１）、撮影者が新規撮影者であるか否かの判断が行われる（ステップＳ２０２）。そして、撮影者が、新規撮影者であると判断された場合には（ステップＳ２０２＝Ｎｏ）、ステップＳ２０３に進む。
【００５６】
ステップＳ２０３〜Ｓ２０５では、撮影者が新規撮影者であると判断されているため、第１基準圧力値Ｘ１および第２基準圧力値Ｘ２を登録するための処理が行われる。ここで、第１基準圧力値Ｘ１および第２基準圧力値Ｘ２は、撮影者の意思を判断するための判断基準となる圧力値であり、第２基準圧力値Ｘ２は、第１基準圧力値Ｘ１よりも大きい値に設定される。
【００５７】
ここで、図６は、第１基準圧力値Ｘ１および第２基準圧力値Ｘ２の登録方法の一例を説明するための図である。たとえば、撮影者が新規撮影者であると判断されると（ステップＳ２０２＝Ｙｅｓ）、図６に示すように、まず、表示部１１０に備えられたディスプレイに、「撮影をする姿勢をしてください。」との表示が行われる。そして、この表示に対して、撮影者により撮影姿勢でカメラ１が把持されると、表示部１１０に備えられたディスプレイに「測定中」との表示が行われ、指紋センサ８０による撮影者の指紋の検出（ステップＳ２０３）と、感圧センサ９０による、撮影者によりカメラ１に加えられた圧力に基づく圧力値の検出が行われる（ステップＳ２０４）。そして、カメラ制御部７０により、検出された圧力値が、第１基準圧力値Ｘ１として設定されるとともに、設定された第１基準圧力値Ｘ１が、撮影者の指紋情報とともに、たとえば、カメラ制御部７０に備えられたメモリに記憶される（ステップＳ２０４）。
【００５８】
さらに、第２実施形態では、第１基準圧力値Ｘ１の設定に続いて、第２基準圧力値Ｘ２の設定が行われる。具体的には、表示部１１０に備えられたディスプレイに「しっかりとカメラをホールディングしてください。」との表示が続いて行われる。この表示に対して、撮影者により、第１基準圧力値Ｘ１を設定した時よりも強い力でカメラ１を把持されると、表示部１１０に備えられたディスプレイに「測定中」との表示が行われ、感圧センサ９０により、第１基準圧力値Ｘ１を設定した時よりも大きい値の圧力値の検出が行われる。そして、カメラ制御部７０により、検出された圧力値が、第２基準圧力値Ｘ２として設定されるとともに、設定された第２基準圧力値Ｘ２が、撮影者の指紋情報とともに、たとえば、カメラ制御部７０に備えられたメモリに記憶される。その後、「撮影者の情報を設定しました。」との表示が行われ、第１基準圧力値Ｘ１および第２基準圧力値Ｘ２の登録が終了する。
【００５９】
そして、ステップＳ２０６では、第１実施形態のステップＳ１０５と同様に、カメラ制御部７０により、撮影者に対応する第１基準圧力値Ｘ１および第２基準圧力値Ｘ２の取得が行われる。
【００６０】
ステップＳ２０７〜Ｓ２０９では、第１実施形態のステップＳ１０６〜Ｓ１０８と同様に、動画像の撮影が開始されたか否かの判断が行われ（ステップＳ２０７）、動画像の撮影が開始されたと判断された場合には（ステップＳ２０７＝Ｙｅｓ）、画像を撮影している際にカメラ１に加えられた圧力に基づく圧力値Ｖが検出されるとともに（ステップＳ２０８）、画像の撮影が行われ、撮影された画像の画像データが、検出された圧力値Ｖと関連付けられて、メモリ６０の一時保存用フォルダに保存される（ステップＳ２０９）。
【００６１】
そして、ステップＳ２１０〜Ｓ２１４では、カメラ制御部７０により、ステップＳ２０６で取得された第１基準圧力値Ｘ１および第２基準圧力値Ｘ２と、ステップＳ２０８で検出された圧力値Ｖとの比較が行われ、該比較結果に基づいて、撮影された画像の画像データの分類が行われる。
【００６２】
具体的には、カメラ制御部７０は、まず、画像を撮影している際に検出された圧力値Ｖと、第２基準圧力値Ｘ２とを比較し（ステップＳ２１０）、比較の結果、圧力値Ｖが第２基準圧力値Ｘ２よりも大きい場合（ステップＳ２１０＝Ｙｅｓ）には、該圧力値Ｖを検出している際に撮影された画像の画像データを、極高圧力画像データとして分類し、メモリ６０の第１画像フォルダ、第２画像フォルダ、および第３画像フォルダの３つのフォルダに保存する（ステップＳ２１１）。一方、画像を撮影している際に検出された圧力値Ｖが、第２基準圧力値Ｘ２以下である場合（ステップＳ２１２＝Ｎｏ）には、ステップＳ２１２に進み、圧力値Ｖと第１基準圧力値Ｘ１との比較が行われる（ステップＳ２１２）。比較の結果、圧力値Ｖが第１基準圧力値Ｘ１よりも大きい場合には（ステップＳ２１２＝Ｙｅｓ）、カメラ制御部７０は、該圧力値Ｖが検出された際に撮影された画像の画像データを、高圧画像データとして分類し、メモリ６０の第１画像フォルダおよび第２画像フォルダの２つのフォルダに保存する（ステップＳ２１３）。さらに、画像を撮影している際に検出された圧力値Ｖが第１基準圧力値Ｘ１以下ある場合には（ステップＳ２１４＝Ｎｏ）、カメラ制御部７０は、該圧力値Ｖが検出された際に撮影された画像の画像データを、通常画像データとして分類し、メモリ６０の第１画像フォルダにのみ保存する（ステップＳ２１４）。
【００６３】
これにより、第２実施形態では、メモリ６０の第１画像フォルダに、撮影された全ての画像の画像データが保存され、メモリ６０の第２画像フォルダには、高圧力画像データおよび極圧力画像データ、すなわち、画像を撮影している際に検出された圧力値Ｖが、第１基準圧力値Ｘ１よりも大きい場合（Ｖ＞Ｘ１）に撮影された画像の画像データが保存され、メモリ６０の第３画像フォルダには、極高圧力画像データ、すなわち、画像を撮影している際に検出された圧力値Ｖが第２基準圧力値Ｘ２である場合（Ｖ＞Ｘ２）に撮影された画像のみが保存されることとなる。
【００６４】
そして、ステップＳ２１５では、第１実施形態のステップＳ１１２と同様に、カメラ制御部７０により、動画像の撮影が終了されたか否かの判断が行われ、動画像の撮影が終了されたと判断された場合は、ステップＳ２１６に進み、一方、動画像の撮影が継続されていると判断された場合は、ステップＳ２０８に戻り、動画像の撮影が終了するまで、ステップＳ２０９〜Ｓ２１４の処理が繰り返し行われる。
【００６５】
そして、ステップＳ２１６では、カメラ制御部７０により、撮影された動画像の再生が行われる。ここで、第２実施形態においては、以下に説明するように、動画像の再生が行われる。
【００６６】
すなわち、第２実施形態において、カメラ制御部７０は、まず、第３画像フォルダから、極高圧力画像データとして分類された画像データ、すなわち、画像を撮影している際に検出された圧力値Ｖが第２基準圧力値Ｘ２よりも大きい場合（Ｖ＞Ｘ２）に撮影された画像データを読み出し、読み出した極高圧力画像データに基づく画像を、表示部１１０に表示させる。そして、カメラ制御部７０は、極高圧力画像データに基づく画像の再生に続いて、極高圧力画像データおよび高圧力画像データに基づく画像の再生を行う。すなわち、カメラ制御部７０は、第２画像フォルダから、極高圧力画像データおよび高圧力画像データに分類された画像データ、すなわち、画像を撮影している際に検出された圧力値Ｖが第１基準圧力値Ｘ１である場合（Ｖ＞Ｘ１）に撮影された画像データを読み出し、読み出した極高圧力画像データおよび高圧力画像データに基づく画像を、表示部１１０に表示させる。さらに、カメラ制御部７０は、極高圧力画像データおよび高圧力画像データに基づく画像の再生に続いて、第１画像フォルダから、撮影された全ての画像の画像データを読み出し、撮影された全ての画像を、表示部１１０に表示させる。
【００６７】
第２実施形態においては、以上のように、カメラ１が動作する。
【００６８】
ここで、図７は、撮影シーンと、画像を撮影している際に検出された圧力値Ｖとの関係を示す図であり、図７の上部には、徒競走を行う被写体を撮影している場面における撮影シーンの一例を示しており、図７の下部には、上記場面において、画像を撮影している際に検出された圧力値Ｖと時間との関係の一例を示すグラフを示している。たとえば、図７に示す場面例のうち、被写体がスタートするシーン（図７の上部左の撮影シーン）においては、撮影者により通常どおりに撮影が行われており、この撮影シーンを撮影しているとき（１フレーム目から５フレーム目の画像を撮影しているとき）に、撮影者によりカメラ１に加えられた圧力値Ｖは、第１基準圧力値Ｘ１以下となっている。そのため、図７に示す場面例では、１フレーム目から５フレーム目に撮影された画像の画像データが、通常圧力画像データとして分類される。
【００６９】
また、図７に示す場面例のうち、被写体が走っているシーン（図７の上部中央の撮影シーン）においては、たとえば、カメラ１のブレを抑えるために、撮影者により、カメラ１が通常よりも強く把持されており、この撮影シーンを撮影しているとき（ｎ＋１フレーム目からｎ＋５フレーム目の画像を撮影しているとき）に、撮影者によりカメラ１に加えられる圧力値Ｖが、第１基準圧力値Ｘ１よりも大きく、かつ、第２基準圧力値Ｘ２以下となっている。そのため、図７に示す場面例では、ｎ＋１フレーム目からｎ＋５フレーム目に撮影された画像の画像データが、高圧力画像データとして分類される。
【００７０】
さらに、図７に示す場面例のうち、被写体がゴールするシーン（図７の上部右の撮影シーン）は、感動的、決定的なシーンであるため、たとえば、撮り逃しがないように、カメラ１のブレを抑えるために、撮影者により、カメラ１がより強く把持されており、加えて、撮影者が興奮状態となっているため、自然と撮影者の手に力が入り、この撮影シーンを撮影している（ｍ＋１フレーム目からｍ＋５フレーム目の画像を撮影している）ときに、撮影者によりカメラ１に加えられる圧力に基づく圧力値Ｖは、第２基準圧力値Ｘ２よりも大きくなっている。そのため、図７に示す場面例では、ｍ＋１フレーム目からｍ＋５フレーム目に撮影された画像の画像データが、極高圧力画像データとして分類される。
【００７１】
そして、図７に示す場面例において、動画像の撮影終了後に、撮影された動画像の再生が行われると、まず、極高圧力画像データとして分類された、被写体がゴールするシーンの動画像が再生され、その後、極高圧力画像データおよび高圧力画像データに分類された、被写体が走っているシーンから被写体がゴールするシーンまでの動画像が再生され、そして、その後、全てのシーンの画像が再生されることとなる。
【００７２】
以上のように、第２実施形態では、第１基準圧力値Ｘ１および第２基準圧力値Ｘ２の２つの基準値が設定され、画像を撮影している際に、撮影者によりカメラ１に加えられた圧力に基づく圧力値Ｖと、第１基準圧力値Ｘ１および第２基準圧力値Ｘ２との比較が行われる。そして、比較の結果、画像を撮影している際に検出された圧力値Ｖが、第２基準圧力値Ｘ２よりも大きい場合（Ｖ＞Ｘ２）は、撮影された画像の画像データが、極高圧力画像データとして分類され、画像を撮影している際に検出された圧力値Ｖが、第１基準圧力値Ｘ１よりも大きく、かつ、第２基準圧力値以下である場合（Ｘ２≧Ｖ＞Ｘ１）は、撮影された画像の画像データが、高圧力画像データとして分類され、画像を撮影している際に検出された圧力値Ｖが、第１基準圧力値Ｘ１以下である場合（Ｘ１≧Ｖ）は、撮影された画像の画像データが、通常圧力画像データとして分類される。このように、第２実施形態では、撮影された画像の画像データが、極高圧力画像データ、高圧力画像データ、および通常圧力画像データの３つに分類される。これにより、第２実施形態では、第１実施形態の効果に加えて、撮影された画像の画像データを、撮影者の意思を反映して、より細かく分類することができる。
【００７３】
≪第３実施形態≫
次に、本発明の第３実施形態を図面に基づいて説明する。図８は、第３実施形態に係るカメラシステムの外観図であり、図９は、第３実施形態に係るカメラシステムのブロック図である。以下においては、図８および図９を参照して、第３実施形態に係るカメラシステムについて説明する。
【００７４】
第３実施形態に示すカメラシステムでは、図８に示すように、カメラ１とマイク２とを備えており、カメラ１の外部に設置されたマイク２が、通信線３を介して、カメラ１に接続している。これにより、マイク２からカメラ１に各種データを送信することができ、たとえば、動画像を撮影する場合には、マイク２により集音された音のデータを、カメラ１に送信することで、カメラ１で撮影された画像の画像データと音データとを関連付けて、カメラ１のメモリ６０に保存することができる。なお、第３実施形態において、カメラシステムを構成するカメラ１は、第１実施形態に係るカメラ１と同じ構成とすることができる。
【００７５】
また、マイク２には、図８に示すように、マイク２の使用者の指紋を検出するためのマイク側指紋センサ２１０と、マイク２の使用者によりマイク２に加えられる圧力を検出するためのマイク側感圧センサ２２０とが備えられている。マイク側指紋センサ２１０は、たとえば、図８に示すように、マイク２の使用者が、マイク２を握った場合に、マイク２の使用者の指紋を検出できる位置に設置することができる。また、マイク側感圧センサ２２０は、たとえば、図８に示すように、マイク２を使用する際に、マイク２の使用者により、マイク２が握られる位置に設置することができる。
【００７６】
また、図９は、第３実施形態に係るカメラシステムを示すブロック図である。第３実施形態に係るカメラシステムは、上述したように、カメラ１とマイク２とを備えており、マイク２は、図９に示すように、マイク側指紋センサ２１０、マイク側感圧センサ２２０、集音用のマイクユニット２３０、およびマイク側通信インターフェース（Ｉ／Ｆ）２４０を備えている。ここで、第３実施形態に係るカメラ１は、第１実施形態に係るカメラ１と同じ構成であるため、以下においては、カメラ１の説明は省略し、カメラ２の各構成について説明する。
【００７７】
マイクユニット２３０は、マイク２の周囲の音を集音する。マイクユニット２３０としては、たとえば、電磁誘導を利用したムービングコイル方式のダイナミックマイクなどを用いることができる。なお、マイクユニット２３０により集音された音のデータは、マイク側通信Ｉ／Ｆ２４０およびカメラ１の外部通信Ｉ／Ｆ４０を介して、カメラ制御部７０に送信される。
【００７８】
マイク側指紋センサ２１０は、マイク２を使用する使用者の指紋を検出する。マイク側指紋センサ２１０により検出された指紋に基づく指紋情報は、マイク側通信Ｉ／Ｆ２４０およびカメラ１の外部通信Ｉ／Ｆ４０を介して、カメラ制御部７０に送信される。
【００７９】
マイク側感圧センサ２２０は、マイク２に加えられた圧力に基づく圧力値を検出する。マイク側感圧センサ２２０により検出された圧力値は、マイク圧力値として、マイク側通信Ｉ／Ｆ２４０およびカメラ１の外部通信Ｉ／Ｆ４０を介して、カメラ制御部７０に送信される。
【００８０】
次に、図１０を参照して、第３実施形態に係るカメラ１の動作例について説明する。図１０は、第３実施形態にカメラ１の動作を示すフローチャートである。なお、以下に説明するカメラ１の動作は、動画撮影モードが選択されている場面における動作であり、カメラ１の電源がＯＮになった場合に開始される。
【００８１】
まず、ステップＳ３０１〜Ｓ３０５では、第１実施形態に係るステップＳ１０１〜Ｓ１０５と同様に、撮影者を識別するための処理が行われ（ステップＳ３０１）、撮影者が新規撮影者であるか否かの判断が行われる（ステップＳ３０２）。撮影者が新規撮影者である場合には（ステップＳ３０２＝Ｙｅｓ）、撮影者の指紋情報が取り込まれ（ステップＳ３０３）、新規撮影者についての基準カメラ圧力値ＣＸの登録が行われる（ステップＳ３０４）。そして、カメラ制御部７０により、撮影者に対応する基準カメラ圧力値ＣＸが取得される（ステップＳ３０５）。
【００８２】
また、第３実施形態では、ステップＳ３０６〜Ｓ３１０において、マイク２の使用者に対応する基準マイク圧力値ＭＸを取得するための処理が行われる。ここで、基準マイク圧力値ＭＸとは、マイク２を使用している使用者の意思を判断するための判断基準となる圧力値であり、マイク２の使用者ごとに設定される値である。
【００８３】
まず、ステップＳ３０６では、マイク２の使用者を識別するための処理が行われる。具体的には、マイク側指紋センサ２１０により、マイク２の使用者の指紋が検出され、マイク２の使用者の指紋に基づく指紋情報が、マイク側指紋センサ２１０から、マイク側通信Ｉ／Ｆ２４０およびカメラ１の外部通信Ｉ／Ｆ４０を介して、カメラ制御部７０に送信される。そして、カメラ制御部７０により、マイク２の使用者の指紋情報が取得され、取得されたマイク２の使用者の指紋情報と、カメラ制御部７０のメモリに記憶された指紋情報との照合が行われ、マイク２の使用者の識別が行われる。
【００８４】
そして、ステップＳ３０７では、カメラ制御部７０により、マイク２の使用者が、新規使用者であるか否かの判断が行われる。たとえば、カメラ制御部７０は、ステップＳ３０６で、マイク２の使用者を識別することができなかった場合は、マイク２の使用者は新規使用者であると判断し、ステップＳ３０８に進む。一方、ステップＳ３０６でマイク２の使用者を識別することができた場合には、マイク２の使用者は、新規使用者ではないと判断し、ステップＳ３１０に進む。
【００８５】
ステップＳ３０８では、マイク側指紋センサ２１０により、マイク２の使用者の指紋が検出され、検出されたマイク２の使用者の指紋の指紋情報が、カメラ制御部７０に出力される。また、ステップＳ３０９では、マイク側感圧センサ２２０により、マイク２の使用者によりマイク２に加えられた圧力が検出され、マイク２の使用者によりマイク２に加えられた圧力に基づく圧力値が、マイク側通信Ｉ／Ｆ２４０および外部通信Ｉ／Ｆ４０を介して、カメラ１のカメラ制御部７０に出力される。そして、ステップＳ３０９において、カメラ制御部７０により、マイク２の使用者の指紋情報と、マイク２に加えられた圧力に基づく圧力値とが取得され、取得された圧力値が、基準マイク圧力値ＭＸとして設定されるとともに、設定された基準マイク圧力値ＭＸが、マイク２の使用者の指紋情報と関連付けられて、カメラ制御部７０に備えられたメモリに記憶される。なお、基準マイク圧力値ＭＸの登録方法は、特に限定されないが、たとえば、カメラ１に備えられたスピーカ１４０から、基準マイク圧力値ＭＸを登録するための音声案内を行うことで、マイク２の使用者にマイク２を握らせ、マイク２に加えられた圧力に基づく圧力値を検出することができる。
【００８６】
次いで、ステップＳ３１０では、カメラ制御部７０により、マイク２の使用者に対応する基準マイク圧力値ＭＸの取得が行われる。なお、本実施形態において、基準マイク圧力値ＭＸは、マイク２の使用者ごとに、該使用者の指紋情報に関連付けられて記憶されているため、カメラ制御部７０は、たとえば、ステップＳ３０６で検出したマイク２の使用者の指紋情報に基づいて、この使用者に対応する基準マイク圧力値ＭＸを取得することができる。
【００８７】
そして、ステップＳ３１１では、第１実施形態のステップＳ１０６と同様に、動画像の撮影が開始されたか否かの判断が行われ、動画像の撮影が開始されたと判断された場合は、ステップＳ３１２に進み、動画像の撮影が開始されていないと判断された場合は、ステップＳ３１１で待機する。
【００８８】
ステップＳ３１２では、感圧センサ９０により、画像が撮影されている際に、撮影者によりカメラ１に加えられた圧力に基づく圧力値が検出され、検出された圧力値が、カメラ圧力値ＣＶとして、カメラ制御部７０に出力される。また、ステップＳ３１３では、マイク側感圧センサ２２０により、画像が撮影されている際に、マイク２の使用者により、マイク２に加えられた圧力に基づく圧力値が検出され、検出された圧力値が、マイク圧力値ＭＸとして、カメラ制御部７０に出力される。これにより、カメラ制御部７０は、画像を撮影している際に、カメラ１に加えられた圧力に基づくカメラ圧力値ＣＶと、マイク２に加えられた圧力に基づくマイク圧力値ＭＸとを取得する。
【００８９】
ステップＳ３１４では、第１実施形態に係るステップＳ１０８と同様に、カメラ制御部７０により、動画像の撮影が行われ、撮影された画像の撮影データが、ステップＳ３１２で検出されたカメラ圧力値ＣＶ、およびステップＳ３１３で検出されたマイク圧力値ＭＸに関連付けられて、メモリ６０の一時保存用画像フォルダに記憶される。
【００９０】
そして、ステップＳ３１５〜３１７では、カメラ制御部７０により、ステップＳ３０５で取得された基準カメラ圧力値ＣＸと、ステップＳ３１２で検出されたカメラ圧力値ＣＶが比較されるとともに、ステップＳ３１０で取得された基準マイク圧力値ＭＸと、ステップＳ３１３で検出されたマイク圧力値ＭＶとの比較が行われ、該比較結果に基づいて、撮影された画像の画像データが分類される。
【００９１】
具体的には、画像を撮影している際に検出されたカメラ圧力値ＣＶが、基準カメラ圧力値ＣＸよりも大きく、かつ、画像を撮影している際に検出されたマイク圧力値ＭＶが、基準マイク圧力値ＭＸよりも大きい場合には（ステップＳ３１５＝Ｙｅｓ）、ステップＳ３１６に進み、カメラ制御部７０により、該カメラ圧力値ＣＶおよび該マイク圧力値ＭＶが取得された際に撮影された画像の画像データが、高圧力画像データとして分類され、メモリ６０の第１画像フォルダおよび第２画像フォルダに保存される。一方、画像を撮影している際に検出されたカメラ圧力値ＣＶが、基準カメラ圧力値ＣＸ以下である場合、または、画像を撮影している際に検出されたマイク圧力値ＭＶが、基準マイク圧力値ＭＸ以下である場合には（ステップＳ３１５＝Ｎｏ）、ステップＳ３１７に進み、カメラ制御部７０により、該カメラ圧力値ＣＶおよび該マイク圧力値ＭＶが検出された際に撮影された画像の画像データが、通常圧力画像データとして分類され、メモリ６０の第１画像フォルダにのみ保存される。
【００９２】
これにより、第３実施形態では、メモリ６０の第１画像フォルダに、撮影された画像の画像データが全て保存される一方、メモリ６０の第２画像フォルダには、高圧画力画像データに分類された画像データ、すなわち、画像を撮影している際に検出されたカメラ圧力値ＣＶが、基準カメラ圧力値ＣＸよりも大きく、かつ、画像を撮影している際に検出されたマイク圧力値ＭＶが、基準マイク圧力値ＭＸよりも大きい場合（ＣＶ＞ＣＸかつＭＶ＞ＭＸ）に撮影された画像の画像データが保存されることとなる。
【００９３】
そして、ステップＳ３１８では、第１実施形態に係るステップＳ１１２と同様に、カメラ制御部７０により、動画像の撮影が終了されたか否かの判断が行われ、動画撮影が終了されたと判断された場合は、ステップＳ３１９に進み、動画撮影が終了されていないと判断された場合は、ステップＳ３１４に戻り、動画像の撮影が終了するまで、上述したステップＳ３１４〜Ｓ３１７の処理が繰り返し行われる。
【００９４】
続くステップＳ３１９では、カメラ制御部７０により、撮影された動画像の再生が行われる。ここで、第３実施形態では、第１実施系のステップＳ１１３と同様に、カメラ制御部７０により、高圧力画像データとして分類された画像データに基づく画像、すなわち、画像を撮影している際に検出されたカメラ圧力値ＣＶが、基準カメラ圧力値ＣＸよりも大きく、かつ、画像を撮影している際に検出されたマイク圧力値ＭＶが、基準マイク圧力値ＭＸよりも大きい場合（ＣＶ＞ＣＸかつＭＶ＞ＭＸ）に撮影された画像のみが再生される。
【００９５】
以上のように、第３実施形態に係るカメラシステムは、カメラ１に、マイク２が接続されており、画像を撮影している際に、撮影者によりカメラ１に加えられた圧力に基づくカメラ圧力値ＣＶと、基準カメラ圧力値ＣＸとの比較が行われるとともに、画像を撮影している際に、マイク２の使用者により、マイク２に加えられた圧力に基づくマイク圧力値ＭＶと、基準マイク圧力値ＭＸとの比較も行われる。そして、比較の結果、画像を撮影している際に検出されたカメラ圧力値ＣＶが、基準カメラ圧力値ＣＸよりも大きく、かつ、画像を撮影している際に検出されたマイク圧力値ＭＶが、基準マイク圧力値ＭＸよりも大きい場合（ＣＶ＞ＣＸかつＭＶ＞ＭＸ）に撮影された画像の画像データが、高圧力画像データとして分類され、カメラ圧力値ＣＶが基準カメラ圧力値ＣＸ以下である場合、または、マイク圧力値ＭＶが基準マイク圧力値ＭＸ以下である場合に撮影された画像の画像データが、通常圧力画像データとして分類される。これにより、第３実施形態では、第１実施形態の効果に加えて、たとえば、被写体がマイク２を用いて実況を行っているような場面において、撮影者の意思のみではなく、マイク２を使用している使用者の意思をも反映して、撮影された画像の画像データを適切に分類することができる。
【００９６】
≪第４実施形態≫
次に、本発明の第４実施形態を図面に基づいて説明する。第４実施形態では、図８および図９に示すカメラシステムにおいて、図１１および図１２に示すように、カメラ１が動作すること以外は、第３実施形態と同様である。以下においては、図１１、図１２を参照して、第４実施形態に係るカメラ１の動作について説明する。なお、図１１、図１２は第４実施形態に係るカメラ１の動作を示すフローチャートである。
【００９７】
まず、ステップＳ４０１〜Ｓ４０６では、第２実施形態のステップＳ２０１〜Ｓ２０６と同様に、第１基準カメラ圧力値ＣＸ１および第２基準カメラ圧力値ＣＸ２の取得が行われる。具体的には、まず、撮影者を識別するための処理が行われ（ステップＳ４０１）、撮影者が、新規撮影者であるか否かの判断が行われる（ステップＳ４０２）。そして、撮影者が、新規撮影者であると判断された場合（ステップＳ４０２＝Ｎｏ）には、撮影者の指紋情報の取り込みが行われ（ステップＳ４０３）、その後、第１基準カメラ圧力値ＣＸ１の設定（ステップＳ４０４）、および第２基準カメラ圧力値ＣＸ２の設定（ステップＳ４０５）が行われる。そして、カメラ制御部７０により、撮影者に対応する第１基準カメラ圧力値ＣＸ１および第２基準カメラ圧力値ＣＸ２の取得が行われる（ステップＳ４０６）。
【００９８】
次に、ステップＳ４０７，Ｓ４０８では、第３実施形態のステップＳ３０６，Ｓ３０７と同様に、マイク２の使用者を識別するための処理が行われ（ステップＳ４０７）、マイク２の使用者が新規使用者であるか否かの判断が行われる（ステップＳ４０８）。マイク２の使用者が新規使用者である場合（ステップＳ４０８＝Ｙｅｓ）は、ステップＳ４０９に進み、一方、マイク２の使用者が新規使用者ではない場合（ステップＳ４０８＝Ｎｏ）は、ステップＳ４１２に進む。
【００９９】
ステップＳ４０９〜Ｓ４１１では、第１基準マイク圧力値ＭＸ１および第２基準マイク圧力値ＭＸ２を登録するための処理が行われる。ここで、第１基準マイク圧力値ＭＸ１および第２基準マイク圧力値ＭＸ２は、マイク２の使用者の意思を判断するための判断基準となる圧力値であり、第２基準マイク圧力値ＭＸ２は、第１基準マイク圧力値ＭＸ１よりも大きい値に設定される。
【０１００】
具体的には、ステップＳ４０９において、マイク側指紋センサ２１０によりマイク２の使用者の指紋が検出され、検出されたマイク２の使用者の指紋情報が、カメラ制御部７０に取り込まれる。また、ステップＳ４１０において、マイク側感圧センサ２２０により、マイク２の使用者によりマイク２に加えられた圧力に基づく圧力値が検出され、検出された圧力値が、カメラ制御部７０に送信される。そして、カメラ制御部７０により、マイク２に加えられた圧力値が取得され、取得された圧力値が、第１基準マイク圧力値ＭＸ１として設定されるとともに、設定された第１基準マイク圧力値ＭＸ１が、マイク２の使用者の指紋情報に関連付けられて、たとえば、カメラ制御部７０のメモリに記憶される。
【０１０１】
また、第４実施形態では、第１基準マイク圧力値ＭＸ１の設定に続いて、ステップＳ４１１で、第２基準マイク圧力値ＭＸ２の設定が行われる。たとえば、スピーカ１４０からの音声案内により、マイク２の使用者に、第１基準マイク圧力値ＭＸ１を設定した際よりもより強くマイク２を握らせることで、マイク側感圧センサ２２０により、第１基準マイク圧力値ＭＸ１を設定したときよりも強い圧力に基づく圧力値を検出し、検出した圧力に基づく圧力値が、カメラ制御部７０に送信される。そして、カメラ制御部７０により、マイク２に加えられた圧力値が、第２基準マイク圧力値ＭＸ２として設定され、設定された第２基準マイク圧力値ＭＸ２が、マイク２の使用者の指紋情報に関連付けられて、たとえば、カメラ制御部７０のメモリに記憶される。
【０１０２】
そして、ステップＳ４１２では、第３実施形態のステップＳ３１０と同様に、カメラ制御部７０により、撮影者に対応する第１基準カメラ圧力値Ｘ１および第２カメラ基準圧力値Ｘ２の取得が行われる。
【０１０３】
続いて、図１３に進み、ステップＳ４１３では、第３実施形態のステップＳ３１１と同様に、カメラ制御部７０により、動画像の撮影が開始されたか否かの判断が行われ、動画像の撮影が開始されたと判断した場合は、ステップＳ４１４に進み、一方、動画像の撮影が開始されていないと判断した場合は、動画像の撮影が開始されるまで、ステップＳ４１３で待機する。
【０１０４】
ステップＳ４１４，Ｓ４１５では、第３実施形態のステップＳ３１２，Ｓ３１３と同様に、画像が撮影されている際に、撮影者によりカメラ１に加えられた圧力に基づくカメラ圧力値ＣＶと、画像が撮影されている際に、マイク２の使用者によりマイク２に加えられた圧力に基づくマイク圧力値ＭＸとの検出が行われる。
【０１０５】
そして、ステップＳ４１６では、第３実施形態に係るステップＳ３１４と同様に、カメラ制御部７０により、画像の撮影が行われ、撮影された画像の撮影データが、該画像が撮影された際に検出されたカメラ圧力値ＣＶおよびマイク圧力値ＭＸと関連付けられて、メモリ６０の一時保存用画像フォルダに記憶される記憶される。
【０１０６】
そして、ステップＳ４１７〜Ｓ４２１では、カメラ制御部７０により、ステップＳ４０６で取得された第１基準カメラ圧力値ＣＸ１および第２基準カメラ圧力値ＣＸ２と、ステップＳ４１４で検出されたカメラ圧力値ＣＶとの比較が行われるとともに、ステップＳ４１２で取得された第１基準マイク圧力値ＭＸ１および第２基準マイク圧力値ＭＸ２と、ステップＳ４１５で検出されたマイク圧力値ＭＶとの比較が行われ、該比較結果に基づいて、ステップＳ４１６で撮影された画像の画像データの分類が行われる。
【０１０７】
具体的には、まず、ステップＳ４１７において、カメラ制御部７０は、カメラ圧力値ＣＶと第２基準カメラ圧力値ＣＸ２とを比較するとともに、マイク圧力値ＭＶと第２基準マイク圧力値ＭＸ２との比較を行う。比較の結果、画像を撮影している際に検出されたカメラ圧力値ＣＶが、第２基準カメラ圧力値ＣＸ２よりも大きく、かつ、画像を撮影している際に検出されたマイク圧力値ＭＶが、第２基準マイク圧力値ＭＸ２よりも大きい場合（ステップＳ４１７＝Ｙｅｓ）には、ステップＳ４１８に進み、カメラ制御部７０により、該カメラ圧力値ＣＶおよび該マイク圧力値ＭＶが検出された際に撮影された画像の画像データを、極高圧力画像データとして分類し、メモリ６０の第１画像フォルダ、第２画像フォルダ、および第３画像フォルダの３つのフォルダに保存する。一方、画像を撮影している際に検出されたカメラ圧力値ＣＶが、第２基準カメラ圧力値ＣＸ２以下である場合、または、画像を撮影している際に検出されたマイク圧力値ＭＶが、第２基準マイク圧力値ＭＸ２以下である場合は、ステップＳ４１９に進む。
【０１０８】
ステップＳ４１９では、カメラ制御部７０により、カメラ圧力値ＣＶと第１基準カメラ圧力値ＣＸ１との比較、および、マイク圧力値ＭＶと、第１基準マイク圧力値ＭＸ１との比較が行われる。比較の結果、画像を撮影している際に検出されたカメラ圧力値ＣＶが、第１基準カメラ圧力値ＣＸ１よりも大きく、かつ、画像を撮影している際に検出されたマイク圧力値ＭＶが、第１基準マイク圧力値ＭＸ１よりも大きい場合（ステップＳ４１９＝Ｙｅｓ）には、ステップＳ４２０に進み、カメラ制御部７０により、該カメラ圧力値ＣＶおよび該マイク圧力値ＭＶが検出された際に撮影された画像の画像データが、高圧力画像データとして分類され、メモリ６０の第１画像フォルダ、および、第２画像フォルダに保存される。一方、画像を撮影している際に検出されたカメラ圧力値ＣＶが、第１基準カメラ圧力値ＣＸ１以下である場合、または、画像を撮影している際に検出されたマイク圧力値ＭＶが、第１基準マイク圧力値ＭＸ１以下である場合（ステップＳ４１９＝Ｎｏ）には、ステップＳ４２１に進み、カメラ制御部７０により、該カメラ圧力値ＣＶおよび該マイク圧力値ＭＶが検出された際に撮影された画像の画像データが、通常圧力画像データとして分類され、メモリ６０の第１画像フォルダにのみ保存される。
【０１０９】
これにより、第４実施形態では、メモリ６０の第１画像フォルダには、撮影された画像の画像データが全て保存され、メモリ６０の第２画像フォルダには、高圧力画像データおよび極高圧力画像データに分類された画像データ、すなわち、画像を撮影している際に検出されたカメラ圧力値ＣＶが、第１基準カメラ圧力値ＣＸ１よりも大きく、かつ、画像を撮影している際に検出されたマイク圧力値ＭＶが、第１基準マイク圧力値ＭＸ１よりも大きい場合（ＣＶ＞ＣＸ１かつＭＶ＞ＭＸ１）に撮影された画像の画像データが保存され、さらに、メモリ６０の第３画像フォルダには、極高圧力画像データ、すなわち、画像を撮影している際に検出されたカメラ圧力値ＣＶが、第２基準カメラ圧力値ＣＸ２よりも大きく、かつ、画像を撮影している際に検出されたマイク圧力値ＭＶが、第２基準マイク圧力値ＭＸ２よりも大きい場合（ＣＶ＞ＣＸ２かつＭＶ＞ＭＸ２）に撮影された画像の画像データのみが保存される。
【０１１０】
そして、ステップＳ４２２では、第３実施形態のステップＳ３１９と同様に、カメラ制御部７０により、動画像の撮影が終了されたか否かの判断が行われ、動画像の撮影が終了されたと判断された場合は、ステップＳ４２３に進み、一方、動画像の撮影が継続されていると判断された場合は、ステップＳ４１６に戻り、動画像の撮影が終了するまで、上述したステップＳ４１６〜Ｓ４２１の処理が繰り返し行われる。
【０１１１】
そして、ステップＳ４２３では、カメラ制御部７０により、撮影された動画像の再生が行われる。ここで、第４実施形態においては、以下に説明するように、動画像の再生が行われる。
【０１１２】
すなわち、第４実施形態では、第２実施形態のステップＳ２１６と同様に、カメラ制御部７０により、まず、極高圧力画像データとして分類された画像データに基づく画像、すなわち、画像を撮影している際に検出されたカメラ圧力値ＣＶが、第２基準カメラ圧力値ＣＸ２よりも大きく、かつ、画像を撮影している際に検出されたマイク圧力値ＭＶが、第２基準マイク圧力値ＭＸ２よりも大きい場合（ＣＶ＞ＣＸ２かつＭＶ＞ＭＸ２）に撮影された画像の再生が行われる。そして、極高圧力画像データとして分類された画像データに基づく画像の再生に続いて、極高圧力画像データおよび高圧力画像データとして分類された画像データに基づく画像、すなわち、画像を撮影している際に検出されたカメラ圧力値ＣＶが、第１基準カメラ圧力値ＣＸ１よりも大きく、かつ、画像を撮影している際に検出されたマイク圧力値ＭＶが、第１基準マイク圧力値ＭＸ１よりも大きい場合（ＣＶ＞ＣＸ１かつＭＶ＞ＭＸ１）に撮影された画像の再生が行われ、最後に、撮影された全ての画像の画像データの再生が行われる。
【０１１３】
以上のように、第４実施形態では、画像を撮影している際に撮影者によりカメラ１に加えられた圧力に基づくカメラ圧力値ＣＶと、第１基準カメラ圧力値ＣＸ１および第２基準カメラ圧力値ＣＸ２とが比較されるとともに、画像を撮影している際にマイク２の使用者によりマイク２に加えられた圧力に基づくカメラ圧力値ＣＶと、第１基準マイク圧力値ＭＸ１および第２基準マイク圧力値ＣＸ２とが比較され、該比較結果に基づいて、撮影された動画像の画像データが、極高圧力画像データ、高圧力画像データ、通常画像データの３つに分類される。これにより、第４実施形態では、第１実施形態の効果に加えて、たとえば、撮影された画像の画像データを、撮影者の意思だけではなく、マイク２を使用する使用者の意思も反映して、適切に分類することができることに加えて、撮影者の意思およびマイク２を使用する使用者の意思を反映して、撮影された画像の画像データを、より細かく分類することができる。
【０１１４】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１１５】
たとえば、上述した実施形態では、画像を撮影している際に検出された圧力値Ｖに基づいて、該圧力値Ｖが検出された際に撮影された画像の画像データを分類し、分類した画像データを、分類にしたがって、複数の画像フォルダに保存する構成を例示したが、この構成に限定されるものではなく、たとえば、カメラ制御部７０は、画像を撮影している際にカメラ１に加えられた圧力に基づく圧力値Ｖが、基準圧力値Ｘよりも大きいか否かを示す分類情報を、該圧力値Ｖが検出された際に撮影された画像の画像データに付加することで、撮影された画像の画像データを分類し、分類した全ての画像データを、単一の画像フォルダに保存する構成としてもよい。これにより、撮影された画像の画像データを適切に分類することができるとともに、画像データを保存するために必要なデータ容量を抑えることができる。
【０１１６】
また、上述した実施形態では、動画像の撮影を終了した後に、撮影された画像を、検出された圧力値の高い画像データが分類されたグループから優先して、極高圧力画像データとして分類された画像データに基づく画像、高圧力画像データとして分類された画像データに基づく画像、通常圧力画像データとして分類された画像データに基づく画像の順に再生しているが、この構成に限定されず、たとえば、検出された圧力値が小さい画像データが分類されたグループから優先して、通常圧力画像データとして分類された画像データに基づく画像、高圧力画像データとして分類された画像データに基づく画像、極高圧力画像データとして分類された画像データに基づく画像の順に再生する構成としてもよい。あるいは、極高圧力画像データとして分類された画像データに基づく画像のみを再生する構成としてもよいし、極高圧力画像データとして分類された画像データに基づく画像、および高圧力画像データとして分類された画像データに基づく画像のみを再生する構成としてもよい。
【０１１７】
また、上述した実施形態では、動画像の撮影を終了した後に、撮影された画像を、検出された圧力値の高い画像データが分類されたグループから優先し、極高圧力画像データとして分類された画像データに基づく画像、高圧力画像データとして分類された画像データに基づく画像、通常圧力画像データとして分類された画像データに基づく画像の順に再生しているが、たとえば、撮影された画像を、画像データが分類されているグループのうち、分類されている画像データの数が多いグループから優先する構成としてもよい。すなわち、極高圧力画像データとして分類された画像データ、高圧力画像データとして分類された画像データ、および通常圧力画像データとして分類された画像データのうち、たとえば、高圧力画像データとして分類された画像データの数が最も多い場合には、高圧力画像データとして分類された画像データに基づく画像を、極高圧力画像データとして分類された画像データに基づく画像、および通常圧力画像データとして分類された画像データに基づく画像に優先して再生する構成としてもよい。また、これとは反対に、画像データが分類されているグループのうち、分類されている画像データの数が少ないグループから優先して、分類されている画像を再生する構成としてもよい。
【０１１８】
さらに、上述した実施形態では、画像を撮影している際に検出された圧力値Ｖが、基準圧力値Ｘよりも大きい場合に、該圧力値Ｖが検出された際に撮影された画像の画像データを、高圧力用画像データとして分類しているが、画像を撮影している際に検出された圧力値Ｖが、所定時間継続して、基準圧力値Ｘよりも大きい場合にのみ、該圧力値Ｖが検出された際に撮影された画像の画像データを、高圧力用画像データとして分類する構成としてもよい。また、画像を撮影している際に検出された圧力値Ｖが基準圧力値Ｘよりも大きい場合には、該圧力値Ｖが検出された際に撮影された画像の画像データに加えて、該圧力値Ｖが検出される所定時間前までに撮影された画像の画像データも、高圧力用画像データとして分類する構成としてもよい。
【０１１９】
さらに、上述した実施形態では、第１基準圧力値Ｘ１および第２基準圧力値Ｘ２を設定し、画像を撮影している際に検出された圧力値Ｖと、設定した第１基準圧力値Ｘ１および第２基準圧力値Ｘ２とを比較することで、撮影された画像の画像データを３つに分類する構成を例示しているが、たとえば、基準圧力値を３以上設定し、撮影された画像の画像データを、４以上に分類する構成としてもよい。また、上述した実施形態では、撮影者に、第１基準圧力値を設定するときよりも強い圧力でカメラ１を把持させることにより、第２基準圧力値を設定しているが、たとえば、設定された第１基準圧力値に基づいて、第２基準圧力値を算出することで、第２基準圧力値を自動で設定する構成としてもよい。
【０１２０】
加えて、上述した実施形態では、カメラ１に、マイク２を１つのみ接続する構成を例示したが、この構成に限定されるものではなく、たとえば、カメラ１に、２以上のマイク２を接続する構成としてもよい。この場合、たとえば、複数のマイク２に加えられた圧力に基づく圧力値ＭＶのうち、いずれかのマイク２で検出された圧力値ＭＶが、基準マイク圧力値ＭＸよりも大きいか否かを比較する構成としてもよいし、また、マイク２に加えられた圧力に基づく圧力値ＭＶの全てが、基準マイク圧力値ＭＸよりも大きいか否かを比較する構成としてもよいし、あるいは、複数のマイク２に加えられた圧力に基づく圧力値のうち、所定数以上のマイク２に加えられた圧力に基づく圧力値ＭＶが、基準マイク圧力値ＭＶよりも大きいか否かを比較する構成としてもよい。また、マイク２以外にも、たとえば、カメラ１に外部照明装置を接続し、外部照明装置を使用する使用者の圧力も加味して、撮影された画像の画像データを分類する構成としてもよい。
【０１２１】
また、上述した実施形態では、図１に示すように、カメラ１の背面に感圧センサ９０を備えているが、たとえば、交換レンズ式のカメラなどでは、レンズ鏡筒に感圧センサ９０を設けてもよいし、また、カメラ１の三脚やパン棒に感圧センサ９０を設けてもよい。さらに、一眼レフカメラの場合には、グリップ部分全体を感圧センサとして構成し、撮影者によりグリップ部分に加えられた圧力に基づく圧力値を検出する構成としてもよい。
【０１２２】
さらに、上述した実施形態では、撮影者の指紋を検出し、撮影者の指紋に基づいて、撮影者を識別しているが、撮影者を識別するための方法は、この方法に限られず、たとえば、撮影者の虹彩や掌紋を用いて、撮影者を識別してもよい。
【０１２３】
また、上述した実施形態では、動画像を撮影する場面におけるカメラ１の動作例を例示したが、たとえば、本発明を、静止画像の撮影する場面に適用することもできる。
【０１２４】
なお、上述した実施形態のカメラ１は特に限定されず、例えば、デジタルビデオカメラ、一眼レフデジタルカメラ、レンズ交換式のデジタルカメラ、携帯電話用のカメラなどのその他の光学機器に本発明を適用してもよい。
【符号の説明】
【０１２５】
１…デジタルカメラ
３１…撮像素子
４０…外部通信インターフェース
７０…カメラ制御部
８０…指紋センサ
９０…感圧センサ
１１０…表示部
１２０…スタートボタン
２…マイク
２１０…マイク側指紋センサ
２２０…マイク側感圧センサ
２４０…マイク側通信インターフェース
【図１】
2012186713.tif 000003
【図２】
2012186713.tif 000004
【図３】
2012186713.tif 000005
【図４】
2012186713.tif 000006
【図５】
2012186713.tif 000007
【図６】
2012186713.tif 000008
【図８】
2012186713.tif 000009
【図９】
2012186713.tif 000010
【図１０】
2012186713.tif 000011
【図１１】
2012186713.tif 000012
【図１２】
2012186713.tif 000013
【図７】
2012186713.tif 000014